(57)【要約】【課題】  簡単な構造で、ネクタイがしわにならず、汗染みもつかずに、ネクタイの着脱が容易で、ネクタイを上着と一緒に保管し持ち運びが可能な上着を提供する。【解決手段】  礼服、背広、ジャケット、ブレザー及び作業衣等の上着において、上着の左右前身頃生地の少なくとも片方の裏面側（見返し）に上下に離れた二つのポケットを形成し、該ポケット内部それぞれに両端を固定された帯状又は紐状のループ状部品が取り付けられている。【選択図】  図１
0003119626.tif 000002
【実用新案登録請求の範囲】
【請求項１】
礼服、背広、ジャケット、ブレザー及び作業衣等の上着において、左右前身頃生地の少なくとも片方の見返しに上下に離れた二つのポケットを形成し、該ポケット内部それぞれに両端を固定された帯状又は紐状のループ状部品を取り付けたことを特徴とする上着。
【請求項２】
礼服、背広、ジャケット、ブレザー及び作業衣等の上着において、左右前身頃生地の少なくとも片方の見返しに上下に離れた二つのポケットを形成し、該上側のポケット内部に両端を固定された帯状又は紐状のループ状部品を取り付けたことを特徴とする上着。
【考案の詳細な説明】
【技術分野】
【０００１】
本考案は、ネクタイを収納可能な上着に関する。
【背景技術】
【０００２】
平成１７年度から環境省が提唱する夏のノーネクタイファッション、いわゆる「クールビズ」が認知されてきたが、ビジネスマンにとっては、ネクタイを着用しなければならないフォーマルな場面もいまだ多く、ネクタイの着用が好ましかったり、義務付けられたりすることがある。このような場合に備えて、ネクタイをカバンに直接しまうか、皺にならないように、専用ケースに入れカバンの中にしまうことがある。しかしながら、カバンを携行しない場合もあり、その場合はネクタイをポケットに直接しまうことになり、やはり皺になってしまう。このような問題を解決するために、ネクタイを上着と一緒に保管し、持ち運びが可能な上着が提案されている（特許文献１参照。）。
【特許文献１】登録実用新案第３０３４６５６号公報
【考案の開示】
【考案が解決しようとする課題】
【０００３】
ここで、特許文献１記載の上着は、後身頃の裏面側にネクタイを吊し上げるためのループ状部品を設けることにより、ネクタイを着用者の背中と上着の間に収納するというものである。しかしながら、背中と上着の間にネクタイが挟まっていれば、着衣時に違和感が残ってしまうし、人間の背中は汗をかくことが多いため、ネクタイに汗が染みてしまい、実際に使用する際には見栄えが良くない。また、ネクタイの着脱の際には、背中側にネクタイが収納されているため、上着そのものを脱がなければならないといった課題が解決されなかった。そこで本考案は、簡単な構造で、ネクタイが皺にならず、汗染みもつかずに、ネクタイの着脱が容易で、上着と一緒に保管し持ち運びが可能な上着を提供することを目的としている。
【課題を解決するための手段】
【０００４】
上記の目的を達成するための本考案の上着は、第１に、礼服、背広、ジャケット、ブレザー及び作業衣等の上着であって、左右前身頃生地の少なくとも片方の裏面側に上下に離れた二つのポケットを形成し、該ポケット内部それぞれに両端を固定された帯状又は紐状のループ状部品を取り付けたことを特徴とするものである。
【０００５】
また、第２に、礼服、背広、ジャケット、ブレザー及び作業衣等の上着であって、左右前身頃生地の少なくとも片方の見返しに上下に離れた二つのポケットを形成し、該上側のポケット内部に両端を固定された帯状又は紐状のループ状部品を取り付けたことを特徴とするものである。
【考案の効果】
【０００６】
この上着を用いて、ループ状部品にネクタイを掛け止めれば、ネクタイを前身頃の裏側に収納することができ、皺や汗染みをつけることなく、上着に携帯することが可能である。さらに、ネクタイ着脱時に上着を脱ぐ必要もない。また、ループ状部品がポケット内に形成されているため、突出部が無いため、上着の着脱時に着衣等に引っ掛かることもない。そして、ネクタイを収納しない場合には、従来の上着内側見返し部分のデザインと変わりなく、見栄えがよい。
【考案を実施するための最良の形態】
【０００７】
以下、本考案の構成を図面に示す実施の形態に基づいて詳細に説明する。
【０００８】
図１は、本考案の第１の実施形態例を示す説明図、図２及び図３は、ネクタイを収納する手順を示す説明図である。
【０００９】
上着１の前身頃２の裏側である見返し３に、上下に離れた二つのポケット４，５を形成する。下側のポケット５は、好ましくは、表腰ポケットの下部位置にあたる部分に縫製する。
【００１０】
上側のポケット４内部には、ポケットの挿入口４ａより上側に帯状のループ状部品６をポケットの挿入口４ａと平行に設け、下側のポケット５内部には、ポケットの挿入口５ａより下側にループ状部品７をポケットの挿入口５ａと平行に設ける。
【００１１】
ループ状部品６，７は、紐状又は帯状であって、ネクタイ８が収まるように幅を設ける必要があり、好ましくは９〜１０ｃｍ程度の幅となる。また、ループ状部品６，７のポケット内部への取付は、衿吊りのように逢着するのが好ましいが、取付方法については接着剤を用いて固定するなど、いかなる方法であってもよい。さらに、ネクタイの厚みを考慮して、ループ状部品６，７は５ｍｍ程度のゆとりを有している。
【００１２】
次に、以上のように構成された実施形態の上着１へのネクタイの収納について、図２及び図３に基づいて説明する。
【００１３】
まず、ネクタイ８を中央で二つ折りにし、下側のループ状部品７に通して、折り目がループ状部品７に係止するまで、上方に引き上げる。次に、折り目がループ状部品７に係止した状態で、ネクタイ８の大剣と小剣を一緒にし、上側のループ状部品６の外側から内側に向かって通す。さらに、ネクタイ８の大剣と小剣を一緒にし、再度、下側のループ７に通して、ネクタイ８の大剣と小剣の先端部を、下側のポケット５内部に収納する。
【００１４】
よって、ネクタイ８が上着１の前身頃２の裏側に掛け止められ、簡単に外れることはない。また、２箇所で掛け止めているため、ずり落ちたりすることもない。この上着１により、ネクタイ８に皺や汗染みをつけることなく、ネクタイ８を上着１内に収納することができ、さらに上着１を脱がずにネクタイを脱着できる。
【００１５】
図４は、本考案の第２の実施形態例を示す説明図である。なお、第１実施形態例の上着１と同様に構成した部分には同一符号を付して、構成の詳細な説明は省略する。
【００１６】
上着１の前身頃２の裏側である見返し３に、上下に離れた二つのポケット４，５を形成し、上側のポケット４内部には、ポケットの挿入口４ａより上側に帯状のループ状部品６をポケットの挿入口４ａと平行に設ける。
【００１７】
本実施例においては、四つ折りにしたネクタイ８の折り目を、上側のループ部材に係止する。そして、ネクタイ８の大剣及び小剣の先端と二つ折りの折り目部分を下側ポケット５に収納する。
【００１８】
この際、下側ポケット５の挿入口５ａが、ネクタイ８の揺り止めとして機能する。また、揺り止め機能をより発揮するために、ポケットの挿入口５ａに面ファスナーを施してもよい。
【００１９】
なお、前述の実施例に限らず、左右前身頃生地の両面の裏面側にループ部材とポケットを設けることで、２本のネクタイを収納できるようにしてもよい。
【図面の簡単な説明】
【００２０】
【図１】本考案の実施の形態例を示す図面
【図２】本考案の実施の形態例の使用方法を説明する図面
【図３】本考案の実施の形態例の使用方法を説明する図面
【図４】本考案の実施の形態例を示す図面
【符号の説明】
【００２１】
１…上着
２…前身頃
３…見返し
４…上側ポケット
４ａ…上側ポケット挿入口
５…下側ポケット
５ａ…下側ポケット挿入口
６…上側ループ部材
７…下側ループ部材
８…ネクタイ
【図１】
0003119626.tif 000003
【図２】
0003119626.tif 000004
【図３】
0003119626.tif 000005
【図４】
0003119626.tif 000006